(57)【特許請求の範囲】
【請求項１】
水平気泡管２又は垂直気泡管３を具備した角柱の水平器本体１であって、前部５に突出したレーザー放射口６とそれを保護する放射口専用カバー４を着脱自在に取り付け、後部に吊り下げ部７を設けると共に、該水平器本体１に電池９を収納した電池室８と半導体ユニット１０と放電管１１を内蔵して各部を通電可能な状態にし、該水平器本体１の外側に設けたスイッチ１２を入れることにより、レーザー光線を発射するように構成したことを特徴とするレーザー付き下げ振り水平器Ａ。
【請求項２】
水平気泡管２又は垂直気泡管３の背面側に反射材１３を貼着したことを特徴とする請求項１記載のレーザー付き下げ振り水平器Ｂ。
【発明の詳細な説明】
【０００１】
【発明の属する技術分野】
本発明は、レーザー付き下げ振り水平器の改良に関するものである。
【０００２】
【従来の技術】
従来より市販又はレンタルされているレーザー付き水平器は、水平及び垂直気泡管を具備した角柱の水平器であって、レーザー放射口を長く設け、該水平器の一面を利用して水平気泡管を見ながらブロック積み、配管、Ｕ字溝の設置等の水平や勾配の確認をするのに使用したり、設置完了した構造物から水平又は勾配が同じであるかを確認するようになっている。又、高さや通りの基準になる丁張りに水糸を張って作業する時には、水糸に手や足又は体が触れて、糸が切れたり、糸の緩みによって正確な作業を得ることができなかった。
【０００３】
又、セオドライト等の測量機器を測点上に備え付け、位置の確認をするために測量機器の中心の下部に下げ振りを懸下して行っていたが、測量機器が上下するために、その都度、下げ振りの糸の長さを調整しなければならず、大変不便であった。
【０００４】
型枠組み立て時の垂直を見る時に下げ振りを使用するが、糸の長さを調整しなければならず、風が吹いて糸が振れ位置決めをするのが困難であった。
【０００５】
【発明が解決しようとする課題】
本案は、上記のような技術的背景に基づいて発明なされたものであって、本案のレーザー付き下げ振り水平器によって、水平、垂直、勾配及び下げ振り作業が誰でも簡単にでき、通常のレーザー光線によるプレゼンテーションでポイント指示をすることが単独でできるようにした便利なレーザー付き下げ振り水平器を安価に、且つ、光学的に幅広い分野で使用できることを目的とするものである。
【０００６】
【課題を解決するための手段】
そのために本案の請求項１では、水平気泡管２又は垂直気泡管３を具備した角柱の水平器本体１であって、前部５に突出したレーザー放射口６とそれを保護する放射口専用カバー４を着脱自在に取り付け、後部に吊り下げ部７を設けると共に、該水平器本体１に電池９を収納した電池室８と半導体ユニット１０と放電管１１を内蔵して各部を通電可能な状態にし、該水平器本体１の外側に設けたスイッチ１２を入れることにより、レーザー光線を発射するように構成したことを特徴とするレーザー付き下げ振り水平器Ａとした。
【０００７】
本案の請求項２では、水平気泡管２又は垂直気泡管３の背面側に反射材１３を貼着したことを特徴とする請求項１記載のレーザー付き下げ振り水平器Ｂとした。
【０００８】
【発明の実施の形態】
この発明の実施の形態を図面に基づきながら説明すると、図１は本案の請求項１のレーザー付き下げ振り水平器Ａの外観全体図であり、水平器本体１の外観を角柱として一例で示しているが、その形状は三角、四角、五角、多角形状のいずれかでも良く、該水平器本体１の前部５にレーザー光の放射口６を突出し、それを保護する放射口専用カバー４を着脱自在に取り付けられ、後部には吊り下げ部７が設けられている。又、気泡管は上部に水平気泡管、後部の吊り下げ部側には垂直気泡管が設けられているが、いずれも気泡管が水平状態になった場合には水平気泡管２、気泡管が垂直状態になった場合には垂直気泡管３として使用できるものである。
【０００９】
図２は本案の請求項１のレーザー付き下げ振り水平器Ａの透視した全体図であり、電池室８に収納セットされた２本の電池９と半導体ユニット１０と放電管１１を内蔵して各部を通電可能な状態にし、該水平器本体１の外側に設けたスイッチ１２を入れることにより、レーザー光線を発射するように構成されている。
【００１０】
尚、レーザー光を得るには、例えばＰ型とＮ型の半導体を接合したダイオードに、Ｐ型は「正」Ｎ型は「負」となるように電圧を加えて発光させ、発光にガリウム、砒素などが用いられ、寿命の長い可視光半導体レーザー・波長６７０ｎｍ・出力１ｍＷ未満・到達距離は１メートル以上のレーザー機能を有するものであり、これと同等又はどの様な機能を有するものであっても良い。
【００１１】
図３はレーザー光線を使用しない時には、人の目に万一のレーザー光線が入ることの無いように防護用として、レーザー付き下げ振り水平器Ａの前部５に放射口専用カバー４を取り付けた部分的拡大図であり、図４はレーザー光線を使用する時に放射口専用カバー４を外して使用する状態を示した部分的拡大図である。
【００１２】
図５は測量機器本体１５に本案のレーザー付き下げ振り水平器Ａを使用した一例を示す斜視図で、該測量機器本体１５を載せた三脚１４に本案のレーザー付き下げ振り水平器Ａを吊り下げ部７より下げ紐又は細いワイヤ１６で懸下して、放射口専用カバー４を外してレーザー光線を発することにより基点１８上に設置することができるもので、直接、本案のレーザー付き下げ振り水平器Ａを下げ振りに使用できるので、図６に示すようにレーザー光線が不要の場合には、先端の尖った放射口専用カバー４を装着したままで、「下げ振り」として使用でき正確に測量機器を設置することができる。
【００１３】
図７は放射口専用カバー４を外して、単独にレーザー光線を使用した色々なプレゼンテーションに於いて、黒板又はホワイトボードに書かれた文字、図形や書類又はＯＨＰスクリーン等の要部をレーザー光線でポイント指示することができ、効果的なプレゼンテーションを行うことができる。
【００１４】
図８は凹凸の無い測定面１６に本案のレーザー付き下げ振り水平器Ａを載せて平面に物体１７を並列させる状態を示した斜視図で、放射口専用カバー４を外してレーザー光線を発することにより、物体１７の平面に本案のレーザー付き下げ振り水平器Ａを当てて、物体１７の上面、側面、端面をレーザー光線に沿って直線上に正確に揃えることができるもので、従来のように高さや通りの基準になる丁張りに水糸を張って作業する時に、水糸が手や足又は体に触れて糸が切れたり、糸の緩みによって正確な作業を得ることができないことが解消され安全に使用することができると共に、本案のレーザー付き下げ振り水平器Ａは、排水管・Ｕ字溝・側溝の勾配やダクト・配管・足場・フェンス・アンカーボルトの通り芯出し、吊り天井・窓・タイル貼り等の遠距離の水平及び高さや通りの設定が簡単にできるものである。
【００１５】
図９は垂直に物体１７を長く積載したときの状態を一例とした斜視図で、従来のように作業中に、水糸が手や足又は体に触れて糸が切れたり、風が吹いて糸が振れて垂直に積むことができないと言う欠点が無く、誰でも簡単に且つ、正確に積み上げることができるものである。
【００１６】
図１０は請求項２のレーザー付き下げ振り水平器Ｂの全体図を示したもので、図１１は水平気泡管２の背面側に反射材１３を貼着した部分的拡大図で、反射材１３は蛍光顔料、蓄光顔料、夜光顔料又は金属箔（アルミ箔等）を用いたシートを該水平気泡管２の背面側に貼り付け、外方から光を受けたときに水平気泡管２の液体が光って、気泡の状態がハッキリと肉眼で見ることができるものである。
【００１７】
図１２は請求項２のレーザー付き下げ振り水平器Ｂの垂直気泡管３の一部に反射材１３を貼着した部分的拡大図で、図１１で説明したものと同じように反射材１３は蛍光顔料、蓄光顔料、夜光顔料又は金属箔（アルミ箔等）を用いたシートを該垂直気泡管３の背面側に貼り付け、外方から光を受けたときに垂直気泡管３の液体が光って、気泡の状態がハッキリと肉眼で見ることができるものである。
【００１８】
【発明の効果】
気泡管が水平状態になった場合には水平気泡管２、気泡管が垂直状態になった場合には垂直気泡管３として使用できるので、大変便利である。
【００１９】
直接、本案のレーザー付き下げ振り水平器Ａをレーザー光線を用いて下げ振りとして使用でき、レーザー光線を用いない場合には先端の尖った放射口専用カバー４を装着したままでも、「下げ振り」として使用でき正確な基点を求めることができる。
【００２０】
単独にレーザー光線として使用する場合、黒板又はホワイトボードに書かれた文字、図形や書類又はＯＨＰスクリーン等の要部をレーザー光線でポイント指示することができ、効果的なプレゼンテーションを行うことができる。
【００２１】
物体１７の上面、側面、端面をレーザー光線に沿って直線上に正確に揃えることができ、従来のように作業中に、水糸が手や足又は体に触れて糸が切れたり、糸の緩みにより直線上に並べることができないと言うことが無く、安心して使用することができる。
【００２２】
従来のように作業中に、水糸が手や足又は体に触れて糸が切れたり、風が吹いて糸が振れ垂直に積むことができないと言うことが無く、誰でも簡単に且つ、正確に積み上げることができる。
【００２３】
反射材１３を該水平気泡管２又は垂直気泡管３の背面側に貼り付け、外方から光を受けたときに水平気泡管２又は垂直気泡管３の液体が光って、気泡の状態がハッキリと肉眼で見ることができるものである。
【図面の簡単な説明】
【図１】本案の請求項１のレーザー付き下げ振り水平器Ａの外観全体図。
【図２】本案の請求項１のレーザー付き下げ振り水平器Ａの透視全体図。
【図３】本案の請求項１のレーザー付き下げ振り水平器Ａの前部に放射口専用カバーを取り付けた部分的拡大図。
【図４】本案の請求項１のレーザー付き下げ振り水平器Ａの前部に放射口専用カバーを外して使用する状態を示した部分的拡大図。
【図５】測量機器本体に本案のレーザー付き下げ振り水平器Ａを使用した一例を示す斜視図。
【図６】本案の請求項１のレーザー付き下げ振り水平器Ａの前部の放射口専用カバーを装着したままで、「下げ振り」として使用した状態の斜視図。
【図７】単独にレーザー光線として使用する場合の一例を示す斜視図。
【図８】凹凸の無い測定面に本案のレーザー付き下げ振り水平器Ａを載せて平面に物体を並列させた状態を示した斜視図。
【図９】垂直に物体を長く積載したときの状態を一例とした斜視図。
【図１０】本案の請求項２のレーザー付き下げ振り水平器Ｂの全体図。
【図１１】本案の請求項２のレーザー付き下げ振り水平器Ｂの水平気泡管の背面側に反射材を貼着した部分的拡大図。
【図１２】本案の請求項２のレーザー付き下げ振り水平器Ｂの垂直気泡管の背面側に反射材を貼着した部分的拡大図。
【符号の説明】
Ａ    請求項１のレーザー付き下げ振り水平器
Ｂ    請求項２のレーザー付き下げ振り水平器
１    水平器本体
２    水平気泡管
３    垂直気泡管
４    放射口専用カバー
５    前部
６    レーザー放射口
７    吊り下げ部
８    電池室
９    電池
１０  半導体ユニット
１１  放電管
１２  スイッチ
１３  反射材
１４  三脚
１５  測量機器本体
１６  下げ紐又は細いワイヤ
１７  物体
１８  基点
【図１】
0003861199.tif 000002
【図２】
0003861199.tif 000003
【図３】
0003861199.tif 000004
【図４】
0003861199.tif 000005
【図５】
0003861199.tif 000006
【図６】
0003861199.tif 000007
【図７】
0003861199.tif 000008
【図８】
0003861199.tif 000009
【図９】
0003861199.tif 000010
【図１０】
0003861199.tif 000011
【図１１】
0003861199.tif 000012
【図１２】
0003861199.tif 000013